(57)【要約】  【課題】  自動車の車体と開閉部材との間に架け渡されるワイヤハーネスを伸縮自在に配索する。  【解決手段】  開閉部材に配索されてボディ側へと引き出されるワイヤハーネスの先端部に、弾性材からなるグロメットを外嵌し、該グロメットに揺動および伸縮可能としたダイヤフラム部を設けている一方、グロメットの他端より引き出されるワイヤハーネスに所要長さの直線状の硬質チューブを外嵌し、該硬質チューブの先端を前記グロメットに固定すると共に他端をワイヤハーネスに固定して、該硬質チューブを前記開閉部材に設けたガイド部分にスライド自在に収容し、前記硬質チューブから引き出されるワイヤハーネスに、前記開閉部材の開閉動作に追従可とした余長部を設け、該余長部を前記ガイド部分に設けた余長吸収用空間に収容すると共に、該余長吸収用空間の出口位置でワイヤハーネスを開閉部材側に係止している。  【選択図】  図１
2006117053.tif 000002
【特許請求の範囲】
【請求項１】
自動車のボディと該ボディにヒンジ結合された開閉部材との間に、ワイヤハーネスを伸縮および回転可能に架け渡しているワイヤハーネスの配索構造であって、
前記開閉部材に配索されて前記ボディ側へと引き出されるワイヤハーネスの先端部に、弾性材からなるグロメットを外嵌し、該グロメットの先端側の外周面に前記ボディの取付孔に挿入係止させる車体係止部を設けていると共に、該車体係止部と他端側の間に、前記車体係止部を支点として揺動および伸縮可能としたダイヤフラム部を設けている一方、
前記グロメットの他端より引き出されるワイヤハーネスに所要長さの直線状の硬質チューブを外嵌し、該硬質チューブの先端を前記グロメットに固定すると共に他端をワイヤハーネスに固定して、該硬質チューブを前記開閉部材に設けたガイド部分にスライド自在に収容し、
かつ、前記硬質チューブから引き出されるワイヤハーネスに、前記開閉部材の開閉動作に追従可とした余長部を設け、該余長部を前記ガイド部分に設けた余長吸収用空間に収容すると共に、該余長吸収用空間の出口位置でワイヤハーネスを開閉部材側に係止していることを特徴とするワイヤハーネスの配索構造。
【請求項２】
前記グロメットのダイヤフラム部は、大径筒部を小径筒部とを薄肉連結筒部を介して連結し、前記薄肉連結筒部を折返状態として前記大形部の内部に挿入させており、
前記開閉部材の開作動時に、前記薄肉連結筒部が大径筒部から外部に引き出されると共に曲げ可能としている請求項１に記載のワイヤハーネスの配索構造。
【請求項３】
前記開閉部材の前記ガイド部分に、前記硬質チューブをスライド自在に貫通させるが、前記グロメットは貫通不可とする開口を設けている請求項１又は請求項２に記載のワイヤハーネスの配索構造。
【請求項４】
前記硬質チューブをスライド自在に収容するスライド用空間と前記ワイヤハーネスの余長部を湾曲させて収容する前記余長吸収空間とを連続して設けた前記ガイド部分は、樹脂成形品からなる略三角形状のプロテクタで構成し、該プロテクタを開閉部材に固定している請求項１乃至請求項３のいずれか１項に記載のワイヤハーネのス配索構造。
【請求項５】
前記ワイヤハーネスの余長部に滑性を有する保護材を取り付け、該保護材を前記プロテクタの内面に当接さている請求項４に記載のワイヤハーネスの配索構造。
【請求項６】
前記開閉部材はサイドドア、バックドア、トランクの蓋である請求項１乃至請求項５のいずれか１項に記載のワイヤハーネスの配索構造。
【請求項７】
前記開閉部材はサイドドアからなり、該サイドドアのインナーパネルの室内側面に前記ガイド部分を設け、該ガイド部分より引き出される前記硬質チューブをウエザーストリップよりも室内側を通し、前記グロメットはボディに係止させて、前記ワイヤハーネスを前記ボディ側へ架け渡している請求項１乃至請求項６のいずれか１項に記載のワイヤハーネスの配索構造。
【発明の詳細な説明】
【技術分野】
【０００１】
本発明は、ドアやトランクリッド等のように、自動車の車体と開閉部材との間に架け渡されるワイヤハーネスの配索構造に関する。
【背景技術】
【０００２】
自動車のサイドドア、バックドア等のドア類、トランクの蓋等の車体（ボデイ）とヒンジを介して開閉自在に取り付けられる開閉部材において、該開閉部材に電装品が取り付けられる場合には車体側から開閉部材へとワイヤハーネスが配索される。
【０００３】
従来、車体とサイドドアとの間に配索されるワイヤハーネスは、図８に示すように、ドア１のインナーパネル１ａの車体側端面に穿設した貫通孔１ｂを通して、ボディ３側にワイヤハーネス（ドアハーネス）Ｗ／Ｈが架け渡されている。該ワイヤハーネスＷ／Ｈは、前記貫通孔１ｂがウェザーストリップ２の位置より外側に設けられ、車体とドアとの間のヒンジＨの上方位置に配索されるため、ドア開閉時にはワイヤハーネスには捻りのみが生じ、ワイヤハーネスには伸縮は生じない。
しかしながら、前記貫通孔７にワイヤハーネスＷ／Ｈを貫通させる作業は非常に難作業となるため、貫通レスでワイヤハーネスをボデイ側へ配索する提案が従来より多数なされている。
【０００４】
ワイヤハーネスをボデイ側へ配索する際に、インナーパネルの室内面側からボデイ側へと配索すると、貫通孔を通さないため配索作業を容易とすることができるが、ワイヤハーネスの配索位置がボデイとドアとのヒンジ結合位置より室内側に変位するため、ドア開閉時にワイヤハーネスを伸縮させる必要が生じる。
【０００５】
この問題に対して、本出願人は先に特許文献１（特開平１０−９３４号公報）を提供している。このワイヤハーネス配索構造では、図９に示すように、ドア１のインナーパネル１ａの室内側面に略三角形の空間１ｃを設けている一方、ワイヤハーネスＷ／Ｈにはドア開閉に追従できる余長部を設け、該余長部を前記空間１ｃ内に収容すると共に空間１ｃの取出口からボディ側へと引き出している。
前記構成とすると、ドアが開作動時にはワイヤハーネスは空間１ｃから引き出され、ドアが閉作動時にはワイヤハーネスの余長部は空間１ｃの中に収容され、ワイヤハーネスをドアの開閉作動に連動して追従させることができる。
【０００６】
しかしながら、前記構成とした場合、ワイヤハーネスは電線群を集束してテープ巻きしているだけであるため剛性が弱いため、ドア閉作動時に空間１ｃ内に確実に引き込むことができない恐れがある。其の際、ボディ側とドア側の間においてワイヤハーネスが重力で垂下がり、場合によっては、ドアとボディの間に挟まれる恐れがある。
【０００７】
他の特許文献２（特開平１０−１６６７２号公報）では、図１０に示すように、ワイヤハーネスをプロテクタ５で保護し、その一端をドアのインナーパネル側に設けたスライドガイド８にスライド可能に嵌合させいる。プロテクタ５のドア側は、揺動可能なコネクタ９により、ボディ３に取り付けられている。
【０００８】
前記特許文献２では特許文献１の前記問題点が一部解決されてはいるものの、別の問題が生じる。即ち、プロテクタ５とスライドガイド８は相互に伸縮方向にスライドするだけでなく、ドアの回転に伴って回転方向の動きを吸収するだけの十分なガタが必要であるため、プロテクタ５がボディ振動に共振し、異音が発生するという問題が生じる。一方、ガタを詰めるとスライドし難くなり、引っかかりの問題を生じる。
また、ドア内部でワイヤハーネスが鋭角状に折れ曲がったり伸張したりし、繰り返し応力が一部に集中してかかることによる耐久性の点で問題が生じると共に、ワイヤハーネスがドア内部で拘束されずに揺動を繰り返すため、インナーパネルと擦れて磨耗したり、ボディ振動に共振し異音を発生する問題も生じる。
【特許文献１】特開平１０−９３４号公報
【特許文献２】特開平１０−１６６７２号公報
【発明の開示】
【発明が解決しようとする課題】
【０００９】
本発明は前記問題に鑑みてなされたもので、ドア等の開閉部材から車体側へ配索するワイヤハーネスを貫通レスで配索する場合において、ワイヤハーネスが開閉部材の開閉作動に確実に追従できると共に、開閉部材の開閉作動に追従して伸縮するワイヤハーネスに損傷を発生させず、かつ、異音の発生を抑制することを課題としている。
【課題を解決するための手段】
【００１０】
前記課題を解決するため、本発明は、自動車のボディと該ボディにヒンジ結合された開閉部材との間に、ワイヤハーネスを伸縮および回転可能に架け渡しているワイヤハーネスの配索構造であって、
前記開閉部材に配索されて前記ボディ側へと引き出されるワイヤハーネスの先端部に、弾性材からなるグロメットを外嵌し、該グロメットの先端側の外周面に前記ボディの取付孔に挿入係止させる車体係止部を設けていると共に、該車体係止部と他端側の間に、前記車体係止部を支点として揺動および伸縮可能としたダイヤフラム部を設けている一方、
前記グロメットの他端より引き出されるワイヤハーネスに所要長さの直線状の硬質チューブを外嵌し、該硬質チューブの先端を前記グロメットに固定すると共に他端をワイヤハーネスに固定して、該硬質チューブを前記開閉部材に設けたガイド部分にスライド自在に収容し、
かつ、前記硬質チューブから引き出されるワイヤハーネスに、前記開閉部材の開閉動作に追従可とした余長部を設け、該余長部を前記ガイド部分に設けた余長吸収用空間に収容すると共に、該余長吸収用空間の出口位置でワイヤハーネスを開閉部材側に係止していることを特徴とするワイヤハーネスの配索構造を提供している。
【００１１】
前記構成とすると、開閉部材の開作動時においては、ワイヤハーネスに余長部がガイド部分の余長用吸収空間に引き込まれているワイヤハーネスの余長部が引き出されることによりワイヤハーネスは伸長する一方、閉動作時には余長部が余長用吸収空間に引き込まれることによりワイヤハーネスが伸縮し、開閉部材の開閉動作に追従する。かつ、開閉作動時におけるワイヤハーネスのねじれは前記グロメットのダイヤフラム部がねじれることにより吸収する。
前記開閉時におけるワイヤハーネスの追従作動時、ワイヤハーネスを直線状の硬質チューブ内に通すと共に該硬質チューブに固定しているため、ワイヤハーネスと一体となった硬質チューブが直線状に移動し、ワイヤハーネスの余長部を余長吸収用空間から確実に引き出すと共に確実に余長用吸収空間内に引き込むことができ、開閉部材の開閉作動にワイヤハーネスを確実に追従させることができる。かつ、該ワイヤハーネスの追従作動時にワイヤハーネスが硬質チューブで保護されるため、ボディと開閉部材の間で垂れたり、不用意に損傷を受けることが防止できる。
さらに、前記硬質チューブを円筒形状の硬質樹脂成形品とし、その外周面を平滑面とすると、該硬質チューブがガイド部分と摺接するため、異音の発生を低減することができる。なお、硬質チューブは四角筒形状として、スライド用空間に摺動自在に内嵌する形状としてもよい。硬質チューブを四角筒形状とする場合、硬質チューブは筒状の一体成形品であってもよいし、断面コ字状の本体と該本体の開口を閉鎖する蓋との二部品からなり、これら本体と蓋とをロック結合して四角筒形状とするものであってもよい。硬質チューブが本体と蓋とからなる場合、本体を底壁と該底壁の両側から突出する両側壁からなる断面コ字状とする一方、蓋も閉鎖壁と該閉鎖壁の両側から突出する両側壁からなる断面コ字状とし、本体と蓋とをロック結合すると、蓋の両側壁が本体の両側壁に沿わせた状態で本体内に収容され、蓋の閉鎖壁により本体の開口が閉鎖される構成としていることが好ましい。
【００１２】
前記硬質チューブの先端とグロメットとの固定は、硬質チューブの先端にリングを外嵌し、あるいはフランジ部を突設し、該硬質チューブの先端を前記グロメットに挿入し、グロメットの内周面に設けた溝部に前記リングあるいはフランジ部を押し込むことにより固定することが好ましい。
また、該硬質チューブの他端とワイヤハーネスとの固定は、硬質チューブの他端にテープ巻き舌片を突設し、該舌片とワイヤハーネスとテープ巻き固定することが好ましい。
但し、硬質チューブとグロメットおよびワイヤハーネスとの固定は前記構成に限定されず、他の適宜な手段を採用してもよい。
【００１３】
前記グロメットのダイヤフラム部は、大径筒部を小径筒部とを薄肉連結筒部を介して連結し、前記薄肉連結筒部を折返状態として前記大径筒部の内部に挿入させており、
前記開閉部材の開作動時に、前記薄肉連結筒部が大径筒部から外部に引き出されると共に曲げ可能としている。
【００１４】
前記ダイヤフラム部に薄肉連結筒部を設けることにより、開閉部材の開閉作動に左右方向にねじれ可能となる。よって、薄肉連結部は周方向の少なくとも左右両側部を薄肉とし、上下両側は必ずしも薄肉としなくとも良い。
また、ダイヤフラム部は、原状形態では、薄肉連結筒部を折り返し状で大径筒部内に挿入させているため、開閉部材の開可動時にワイヤハーネスが引っ張られた際に大径筒部から外部に引き出されて、薄肉連結筒部の長さ分だけグロメット自体を伸長させることができ、ワイヤハーネスの追従動作を更にスムーズに行うわせることができる。一方、開閉部材の閉作動時にも薄肉連結筒部は原形の折返状態に復帰して、ワイヤハーネスの追従作動をスムーズに行わせることができる。かつ、開閉部材を閉じた時はボディと開閉部材の間が狭小になるが、グロメット自体の長さが短くなることで、狭小隙間にうまく収容できる。
【００１５】
前記構成において、前記開閉部材の前記ガイド部分に、前記硬質チューブをスライド自在に貫通させるが、前記グロメットは貫通不可とする開口を設けている。
【００１６】
前記構造とすることにより、ガイド部分の開口を貫通するワイヤハーネスは硬質チューブで保護された状態であるため、該開口内面に摺接することはなく、硬質チューブと共にガイド部分にスムーズに出入りできる。また、該硬質チューブの先端に固定するグロメットはガイド部分の開口には貫通不可とし、ワイヤハーネスの余長部を余長吸収用空間に引き込む際にグロメットをガイド部分の開口位置で停止させることにより、ワイヤハーネスの引き込み量を規制できる。かつ、開閉部材の回転方向の動きを吸収するためには、硬質チューブとガイド部分の間には空隙を設けなければならないが、グロメットがガイド部分に当接・押圧されることにより、グロメットと共に硬質チューブが固定され、硬質チューブがボディ振動に共振し異音が発生するのを防止できる。
【００１７】
前記構成において、前記硬質チューブをスライド自在に収容するスライド用空間と前記ワイヤハーネスの余長部を湾曲させて収容する前記余長吸収空間とを連続して設けた前記ガイド部分は、樹脂成形品からなる略三角形状のプロテクタで構成し、該プロテクタを開閉部材に固定している前記硬質チューブをスライド自在に収容するスライド用空間と前記ワイヤハーネスの余長部を湾曲させて収容する前記余長吸収空間とを連続して設けた前記ガイド部分は、樹脂成形品からなるガイド枠で構成し、該ガイド枠を開閉部材に固定していることが好ましい。
【００１８】
前記のように、ガイド部分は浅底の三角形状のプロテクタで構成し、該プロテクタを開閉部材がドアである場合には、ドアインナーパネルにビス等で固定している。該プロテクタは室内面側は開口とし、内部にワイヤハーネスを配索した状態でドアトリムをかぶせている。
前記略三角形状のプロテクタは、詳細には、底壁部の各辺より周壁を突設し、上辺周壁は直線状とし、該上辺周壁と直線状のスライド用空間をあけて配置する先端側の側辺周壁は下方へと緩やかに湾曲させると共に、他方側の側辺周壁は前記先端側の側辺周壁に近接するように緩やかに湾曲させた構造としている。前記スライド用空間の先端に出入用開口を設ける一方、前記一対の側部周壁の間の下端開口をドア内部への引出用開口とし、前記スライド用空間から引出用開口にかけた大容積部を余長吸収用空間としている。また、前記スライド用空間の先端の出入用開口は、上辺周壁と側辺周壁との間に閉鎖壁を設け、該閉鎖壁に貫通孔を設けて前記出入用開口とすることが好ましい。
前記のようにガイド部分をプロテクタにより形成すると、所要寸法のスライド用空間と余長吸収用空間とを寸法精度よく設けることができ、かつ、インナーパネルやドアトリムの構造を従来と変更する必要がなく、組付け性を向上させることができる。
また、前記プロテクタは、室内面側を開口とせず前記底壁部に対向する上壁部を設けると共に、前記周壁の各辺のいずれかに開口を設けておき、該開口を通してワイヤハーネスをプロテクタ内に配索した後、該開口をカバーにより閉鎖する構成としてもよい。これにより、プロテクタ内のワイヤハーネスが前記底壁部と上壁部によりドアインナーパネル及びドアトリムに直接接触するのを防止することができる。
なお、ガイド部分を別材からなるプロテクタで設ける代わりに、ワイヤハーネスを配索すると共に該ワイヤハーネスに接続される電装品等を予め組付るドアモジュールパネルを設け、該ドアモジュールパネルに、前記プロテクタと同様な形状の凹部を設けてガイド部分としてもよい。
【００１９】
さらに、前記ワイヤハーネスの余長部に、滑性を有する保護材を取り付け、該保護材を前記プロテクタの内面に摺接自在に当接させることが好ましい。
具体的には、保護材は中央部を段状に突出させた薄板状のものとし、その両側部をワイヤハーネスにテープ巻き固定し、中央の段状突出部をプロテクタの内面に摺接させている。  このように、保護材を取付けることにより、ワイヤハーネスをプロテクタ内面に直接接触させずにスムーズに滑動させることができる。かつ、開閉部材の開閉動作に伴う繰り返し移動によるワイヤハーネスの摩耗を低減できる。
【００２０】
前記開閉部材は、サイドドア、バックドア、トランクの蓋等からなり、自動車の車体にヒンジ結合され、かつ、車体側と接続されるワイヤハーネスが配索される開閉部材であれば、いずれの開閉部材にも適用できる。
【００２１】
本発明は、特に、電装品が多数取り付けられるサイドドアに適用することが好ましく、
該サイドドアのインナーパネルの室内側面に前記プロテクタ等からなるガイド部分を設け、該ガイド部分より引き出される前記硬質チューブをウエザーストリップよりも室内側を通し、前記グロメットはボディに係止させて、前記ワイヤハーネスを前記ボディ側へ架け渡している。
【００２２】
前記のように、サイドドアに配索するドアハーネスを車体側に配索する構造に本発明を適用すると、ドアハーネスをウエザーストリップよりも室内側に配索するため、従来必要とされたインナーパネルの端面に設けられた貫通孔を挿通させる作業が不要となり、ワイヤハーネスの配索作業性を大幅に改善することができる。
【発明の効果】
【００２３】
前述したように、本発明によれば、ドア等の開閉部材と車体との間に配索するワイヤハーネスを開閉部材と車体との回転支点（ヒンジ位置）から離れた位置に設けて、開閉部材に穿設する貫通孔にワイヤハーネスを通さない所謂貫通レスタイプとしているため、ワイヤハーネスの配索作業を容易とすることができる。
しかも、前記配索構造とした場合に開閉部材の開閉動作に伴いワイヤハーネスを伸縮させる必要があるが、ワイヤハーネスを硬質チューブに挿通させて開閉部材へ出入させているため、ワイヤハーネスに弛みを発生させることなく、開閉部材側のガイド部分の余長収容用空間にワイヤハーネスの余長部を確実且つスムースに収容および引き出すことができる。かつ、該ワイヤハーネスの作動時の抵抗も低減でき、異音発生を低減できる。
また、曲げ方向の動きはグロメットにダイヤフラム部を設けていることによりスムーズに吸収することができる。更に、ワイヤハーネスの余長部が前記プロテクタ等のガイド部分内に設けた緩やかな湾曲を有する余長収容用空間に収納しているため、ワイヤハーネスの屈曲が繰り返えされてもワイヤの損傷を防止することができる。
このように、本発明のワイヤハーネスの配索構造は、ワイヤハーネスの伸縮や曲げにスムーズに追従でき、操作性や異音等の違和感がなく、耐浸水性・耐久性・組付け性にも優れた自動車の開閉部に架け渡すワイヤハーネスの配索構造を提供することができる。
【発明を実施するための最良の形態】
【００２４】
以下、本発明の実施形態を図面を参照して説明する。
図１乃至図６は第１実施形態を示し、サイドドア１０（以下、ドア１０と略す）に配索されるワイヤハーネス（ドアハーネス）４０を車体のボデイ２０へと配索している。
図１（Ａ）（Ｂ）は、ドア１０が開いた状態を示し、図２（Ａ）（Ｂ）はドア１０が閉じた状態を示す。
【００２５】
ドア１０はアウターパネル１２とインナーパネル１１とが接合され、該インナーパネル１１の室内側面で且つボデイ側の位置に、樹脂成形品からなるプロテクタ７０が固定されると共に、ドアトリム（図示せず）が取り付けられる。該ドア１０はインナーパネル１１のボディ側端面がヒンジ２１によりボディ２０と結合され、ドア１０はヒンジ２１を支点として回転自在に連結されている。
【００２６】
前記ワイヤハーネス４０はインナーパネル１１の内部に配索され、その端末に接続したコネクタ（図示せず）を所要の電気部品と接続させている。該ワイヤハーネス４０は前記プロテクタ４０の内部を通した後にインナーパネル１１のボデイ側端面で、ウエザーストリップ１３の室内側から引き出し、先端にグロメット５０を外嵌し、該グロメット５０をボデイ２０の取付孔２２に挿入係止している。前記グロメット５０に連続して樹脂成形品からなる硬質チューブ６０をワイヤハーネス４０にかぶせ、該硬質チューブ６０を前記プロテクタ７０に対して出入自在に収容している。
【００２７】
前記プロテクタ７０は図１（Ａ）、図２（Ａ）に示すように、浅底の略三角形状で、底壁部７３の各辺よりガイド周壁７５を突設し、上辺周壁７５ａは直線状とし、上辺周壁７５ａと直線状のスライド用空間７９をあけて配置する先端側の側辺周壁７５ｂは下方へと緩やかに湾曲させている。他方側の側辺周壁７５ｃは前記側辺周壁７５ｂに近接するように緩やかに湾曲させた形状としている。
前記スライド用空間７９の先端に出入用開口７１を設ける一方、前記一対の側部周壁７５ｂと７５ｃの間の下端開口をドア内部への引出用開口７６とし、スライド用空間７９から引出用開口７６にかけた大容積部を余長吸収用空間７２としている。該余長吸収用空間７２は上辺周壁７５ａと側辺周壁７５ｃのコーナーに向かって大きな半径を有する緩やかな湾曲状空間としている。
プロテクタ７０で形成するガイド部分を前記形状とすることにより、スライド用空間７９ではワイヤハーネス４０を直線状にガイドする一方、余長吸収用空間７２ではワイヤーハーネス４０が鋭く曲がるのを防ぎ、応力が特定箇所に集中するのを避けている。
【００２８】
前記スライド用空間７９の先端の出入用開口７１の内部側には、上辺周壁７５ａと側辺周壁７５ｂとの間に閉鎖壁７７を設け、該閉鎖壁７７に貫通孔７７ａを設けている。
また、前記出入用開口７１を設けた先端側外面からフランジ部７６Ａを突設すると共に、前記コーナー部の外面からフランジ部７６Ｂを突設し、これらフランジ部７６Ａ、７６Ｂをインナーパネル１１にビス止めしている。
【００２９】
前記硬質チューブ６０は図３に示すように、容易に折れ曲がらない程度の硬質樹脂にて成形し、円筒状をした本体部６１の一端にフランジ６２を設け、グロメット５０に内嵌している。なお、フランジ６２を一体成形で設けても良いし、フランジ６２に代えて別体のリングを外嵌固定してもよい。他端にはテープ巻き舌片６３を突設し、該テープ巻き舌片６３とワイヤハーネス４０とにテープＴを巻きつけて固定している。なお、硬質チューブ６０は円筒状をしているが、４角筒とすることにより、回転方向の位置決めをすることもできる。
【００３０】
前記グロメット５０は図４に示す形状としており、図４（Ａ）はドア側から見た側面図、（Ｂ）は自由長の原形状態の断面図、（Ｃ）はドアを開けた状態の断面図である。
グロメット５０は、ゴム又はエラストマーのような弾性材から一体形成し、内部にワイヤハーネスを貫通させる筒状としている。
軸線方向の一端に長円形状とした最大外形筒部５１を設け、その外周面に車体係止部５２を凹設し、該車体係止部５２より先端側の外周面を傾斜面として、ボデイ２０の係止孔２２に挿入しやすくしている。
【００３１】
前記最大外形筒部５１に対して偏心位置に真円形状の大径筒部５３を連続させ、該大径筒部５３を薄肉連結筒部５４を介して小径筒部５５と連続させ、該小径筒部５５の先端に押当筒部５６を設けている。前記大径筒部５３、薄肉連結筒部５４、小径筒部５５とで軸線方向の長さを可変するダイヤフラム部５８を形成している。
前記薄肉連結筒部５４は折り曲げられた状態で大径筒部５３の内側に回り込むように予め賦形されて小径筒部５５に連結され、小径筒部５５が引っ張られると大径筒部５３より引き出され、小径筒部５５への引張力が解除されると原形に復帰して大径筒部５３の内側に回り込むようにしている。
即ち、グロメット５０はダイヤフラム部５８により軸線方向に一定寸法伸縮できるようにし、ドア閉時には図４（Ｂ）に示す短寸化してドア１０とボディ２０の狭い隙間に収まり、ドア１０を開いた時は、ワイヤーハーネス４０の引張力に応じて伸びると共に曲げ方向の動きを吸収できるようにしている。
【００３２】
前記押当筒部５６の内側には、硬質チューブ係止溝５７を膨出させて設け、該硬質チューブ係止溝５７に硬質チューブ６０のフランジ６２を内嵌している。押当筒部５６は、前記プロテクタ７０の貫通孔７７ａに貫通不可の外径とし、ドア閉時に貫通孔７７ａの周縁の閉鎖壁７７に当接して押し縮められて固定される。このため、硬質チューブ６０とプロテクタ７０の出入用開口７４の間にガタがあってもボディ振動などに共振して異音が発生しないようにしている。
【００３３】
ワイヤハーネス４０は前記硬質チューブ６０に通してテープＴで固定した状態でグロメット５０に通し、硬質チューブ６０の先端を押当筒部５６に内嵌固定している。この状態で硬質チューブ６０をプロテクタ７０のスライド用空間７９にスライド自在に収容している。該硬質チューブ６０とテープＴで固定された部分から延在するワイヤハーネス４０の所要寸法を余長部４０ａとし、該余長部４０ａをプロテクタ７０の余長吸収用空間７２に収容し、該余長部４０ａの終端部分で図６に示すように、プロテクタ７０の引出用開口７４位置のバンド型のクランプ８２により係止している。
【００３４】
前記クランプ８２は弾力性のある樹脂成形品からなり、バンド８２ａの基端部にバンド係止部８２ｂを備え、バンド８２ａをワイヤハーネス４０に巻き付けてバンド係止部８２ｂで係止している。該バンド係止部８２ｂより係止用軸部８２ｃを突設し、該係止用軸部８２ｃの先端より折り返し状に係止羽根部８２ｄを設け、該係止羽根部８２ｄの先端に係止段部８２ｅを設けた形状としている。
前記プロテクタ７０に穿設する係止孔７８には係止羽根部８２ｄの係止段部８２ｃが回転可能な空隙Ｃをあけて係止させている。
前記構成とすることで、ワイヤハーネス４０はクランプ８２を介してプロテクタ７０に回転可能に係止している。このため、図１の矢印に示す方向にクランプ８２が揺動し、ワイヤーハーネス４０の屈曲を低減している。
【００３５】
また、前記硬質チューブ６０とのテープＴでの固定部から引き出された位置の余長部４０ａには図５に示すように保護材４１をテープＴで巻固定している。該保護材４１は平滑性を有する樹脂成形品で、長方形状の基板４１ａの中央部に段状凸部４２を設けると共に両端にリブ４４を設けた形状としている。
前記保護材４１は段状凸部４２をプロテクタ７０の上辺周壁７５ａの内面に摺動自在に当接させ、ワイヤハーネス４０がプロテクタ内面に直接接触しないようにし、ワイヤハーネス４０を磨耗から保護すると共に、ワイヤハーネス４０の動きをスムーズに行えるようにしている。
【００３６】
次ぎに、前記構成からなるワイヤハーネスの配索構造におけるドアの開閉にともなうワイヤハーネス４０の作動を説明する。
図２に示すドア１０が閉じた状態から図１に示すドア１０が開き状態とするドア開可動時には、ドア１０の回転に伴いグロメット５０の薄肉連結筒部５４が曲がることによりドア１０に配索されたワイヤハーネス４０の曲がりに追従する。
また、ドア１０の開作動時にドア１０の回転支点とワイヤハーネス４０の配索位置とはずれているため、ワイヤハーネス４０を伸長させて追従させる必要がある。ドア閉状態で図２に示すように、ワイヤハーネス４０の余長部４０ａは余長収容用空間７２内でコーナー側に沿って湾曲した収容されている。この状態からドア１０の開作動に追従して、硬質チューブ６０がスライド用空間７９内を図中左方向に移動して、硬質チューブ６０は貫通孔７７ａ、引出用開口７４を通してボデイ２０側へと引き出されていき、それに応じて余長吸収用空間７２内の余長部４０ａは側辺周壁７５ｂへと近接していき湾曲状態から傾斜状態へとなって引き出されていき、図１に示す状態となる。
【００３７】
図１に示すドア開状態からドア１０を閉作動する際は、開作動と逆作動となり、ワイヤハーネス４０は硬質チューブ６０と共に、プロテクタ７０内に押し込まれ、ワイヤハーネス４０の余長部４０ａは余長部吸収用空間７２内でコーナー部に沿って湾曲するように引き込まれて収容される。
硬質チューブ６０がプロテクタ７０内に引き込まれ、連動してグロメット５０もプロテクタ７０側へと移動し、該グロメット５０の押当筒部５６が閉鎖壁７７に当接した位置で停止する。この状態でドア１０は完全に閉鎖状態となる。
【００３８】
前記のように、ドア１０の開閉作動時、プロテクタ７０の貫通孔７７ａを出入するワイヤハーネス４０は硬質チューブ６０で保護された状態であるため、貫通孔７７ａの内面に摺接することはなく硬質チューブ６０と共にスムーズに出入する。かつ、ワイヤハーネスのみとした場合と比較して、ドア１０とボデイ２０の間でワイヤハーネスが弛むことはなく直線状態を保持して伸縮され、ドア１０とボデイ２０との間に挟まれることはない。
さらに、硬質チューブ６０の先端に固定するグロメット５０はプロテクタ７０の貫通孔７７ａには貫通不可としているため、ドア閉時にプロテクタ５０の貫通孔７７ａの位置で停止され、ワイヤハーネス４０の引き込み量を規制できる。かつ、ドア１０の回転方向の動きを吸収するために、硬質チューブ６０と貫通孔７７ａの間には空隙を設けているが、グロメット５０をプロテクタ７０の閉鎖壁７７に当接・押圧されるため、グロメット５０と共に硬質チューブ６０も固定され、硬質チューブ６０がボディ振動に共振し異音が発生するのを防止できる。
【００３９】
図７は本発明の第２実施形態を示し、本発明をプロテクタを設ける代わりに、ドアモジュールパネル１４にガイド部分９０を設けている。該ガイド部分９０はモジュールパネル１４に室内面側が開口した凹部から形成し、該凹部の形状は第１実施形態のプロテクタ７０と略同様な形状としている。
モジュールパネル１４にはワイヤハーネス４０をクランプで固定して予め配索しており、該ワイヤハーネス４０を前記ガイド部分９０内にとおしている。図中、モジュールパネル１４にはスピーカー１５を含めて多数のドア用電装品（図示せず）を搭載し、ワイヤハーネス４０と接続している。
他の構成は第１実施形態と同様であるため同一番号を付し、かつ、作動も第１実施形態と同様であるため、説明を省略する。
【産業上の利用可能性】
【００４０】
前記した実施形態は自動車のサイドドアと車体との間に架け渡されるワイヤハーネスの配索構造に関するものであるが、サイドドアに限定されず、車体とバックドア、あるいは、トランクと蓋との間に架け渡されるワイヤハーネスにも好適に用いることができる。
【図面の簡単な説明】
【００４１】
【図１】第１実施形態のサイドドアを開いた状態を示し、（Ａ）は室内側から見た側面図、（Ｂ）は断面図である。
【図２】サドドアの閉じた状態を示し、（Ａ）は室内側から見た側面図、（Ｂ）は断面図である。
【図３】硬質チューブの斜視図である。
【図４】グロメットを示し、（Ａ）はドア側から見た正面図、（Ｂ）はＡ−Ａ断面図、（Ｃ）は伸長された状態の断面図である。
【図５】保護材をワイヤハーネスに取り付けた状態を示す斜視図である。
【図６】クランプの断面図である。
【図７】第２実施形態の斜視図である。
【図８】従来例を示す斜視図である。
【図９】他の従来技術を示す斜視図である。
【図１０】他の従来技術を示す斜視図である。
【符号の説明】
【００４２】
１０  サイドドア
１１  インナーパネル
１３  ウエザーストリップ
２０  ボディ
２１  ヒンジ
４０  ワイヤハーネス
５０  グロメット
５８  ダイヤフラム部
７０  プロテクタ
７２  余長吸収用空間
７９  スライド用空間
８２  クランプ
【図１】
2006117053.tif 000003
【図２】
2006117053.tif 000004
【図３】
2006117053.tif 000005
【図４】
2006117053.tif 000006
【図５】
2006117053.tif 000007
【図６】
2006117053.tif 000008
【図７】
2006117053.tif 000009
【図８】
2006117053.tif 000010
【図９】
2006117053.tif 000011
【図１０】
2006117053.tif 000012